(57)【要約】【課題】１つの包装用容器で、内容野菜の鮮度保持、内容野菜の視認の容易化、載置状態の安定性、省スペース化等、さまざまな必要性に応じて、立てたり、横にしたりして載置することができる野菜包装用容を提供すること。【解決手段】合成樹脂製シート素材を膨出成型させてなり、野菜を収容できる容器本体１と、該容器本体１を覆う蓋体２とからなる平面視方形の野菜包装用容器であって、容器本体１の第１周壁部１ａを側面視において底壁３から容器の内方に向けて倒れ傾斜状に立ち上げ、開口端側において外周面側に向かって突出する周縁フランジ４を備え、該周縁フランジ４の最外端４ａと、前記底壁３と該第１周壁部１ａとの連接部の最外端３ａとの位置を上下方向において略一致する構造。【選択図】        図１
2005008172.tif 000002
【特許請求の範囲】
【請求項１】
合成樹脂製シート素材を膨出成型させてなり、野菜を収容できる容器本体（１）と、該容器本体（１）を覆う蓋体（２）とからなる平面視方形の野菜包装用容器であって、容器本体（１）の第１周壁部（１ａ）を側面視において底壁（３）から容器の内方に向けて倒れ傾斜状に立ち上げ、開口端側において外周面側に向かって突出する周縁フランジ（４）を備え、該周縁フランジ（４）の最外端（４ａ）と、前記底壁（３）と該第１周壁部（１ａ）との連接部の最外端（３ａ）との位置を上下方向において略一致する構造としてなる野菜包装用容器。
【請求項２】
容器本体（１）の第１周壁部（１ａ）に対向する第２周壁部（１ｂ）の高さを第１周壁部（１ａ）の高さに比して低く設定し、該第１周壁部（１ａ）に相対する蓋体（２）の第１周壁部（２ａ）の高さを低く設定し、容器本体（１）における前記第２周壁部（１ｂ）に相対する蓋体（２）の第２周壁部（２ｂ）を第１周壁部（２ａ）の高さに比して高く設定し、蓋体（２）の天板（５）が閉蓋姿勢において容器本体（１）における底壁（３）と略平行になるように形成してある請求項１に記載の野菜包装用容器。
【請求項３】
容器本体（１）における第１周壁部（１ａ）の高さと第２周壁部（１ｂ）の高さとを略等しい高さのものとし、蓋体（２）に代えて、フィルム（２Ａ）で容器本体（１）の上面を覆うようにシールする野菜包装用容器であって、容器本体（１）の第１周壁部（１ａ）を側面視において底壁（３）から容器の内方に向けて倒れ傾斜状に立ち上げ、開口端側において外周面側に向かって突出する周縁フランジ（４）を備え、該周縁フランジ（４）の最外端（４ａ）と、前記底壁（３）と該第１周壁部（１ａ）との連接部の最外端（３ａ）との位置を上下方向において略一致する構造としてなる野菜包装用容器。
【発明の詳細な説明】
【０００１】
【発明の属する技術分野】
本発明は、合成樹脂製シート素材を膨出成型させた平面視方形状の野菜包装用容器であって、特に、そばの新芽、ブロッコリーの新芽、カイワレ大根の新芽等のスプラウト（新芽）を収容して販売するための野菜包装用容器に関するものである。
【０００２】
【従来の技術】
かかる合成樹脂製シート素材を膨出成型させてなる野菜包装用容器は一般に周知である。従来、野菜包装用容器は、平面視方形状であって、容器本体を蓋体で覆うか、または、容器本体の上部を覆うようにフィルムを施すなど、容器本体に野菜を収容した後、蓋体あるいはフィルムで覆い、容器本体のいわゆる底壁と呼ばれる面を地面と接面させて載置するものが一般的であり、載置の態様は一態様に定まるものである。
【０００３】
【発明が解決しようとする課題】
例えば、図１０に示した従来例の容器では、底壁３を地面に接面させて載置する。この載置状態では、面積の広い面を地面に接面させて載置することになり、かつ重心が低くなるので、載置状態の安定性という点においては優れている。
【０００４】
しかしながら、面積の広い面を地面に接面させて載置することになると、容器１つあたりが占めるスペースが大きくなるので、容器の数量が多いときに、全ての容器を並べて載置するには、載置に多大なスペースを必要とするという課題がある。また、容器数に比して、載置スペースが限られているとき、殊に、販売時において、販売する野菜包装用容器数に比して、売り場面積が限られているときは、必然的に容器を複数段に積載して販売することとなるが、２段目以下に積み上げられた野菜包装用容器の内部は、容器を動かさなければ視認することができないという課題がある。さらに、内容野菜の種類によっては、図１０に示すような扁平な容器を横に寝かせた状態で包装して長時間置いておくと鮮度が失われるものがある。
【０００５】
他方、図１１に示した従来例の容器では、底壁３を地面に接面させて載置する。この載置状態では、面積の狭い面を地面に接面させて載置することになり、省スペース化という点においては優れている。
【０００６】
しかしながら、重心が高く、載置状態の安定性という点においては劣っており、容器を横に載置しようとしても、周縁フランジ４の出っ張りにより、容器が傾斜状になり、載置状態が不格好で、積載もしづらいという課題がある。
【０００７】
そこで本発明は、１つの包装用容器で、内容野菜の鮮度保持、内容野菜の視認の容易化、載置状態の安定性、省スペース化等、さまざまな必要性に応じて、立てたり、横にしたりして載置することができる野菜包装用容器を提供することを目的とする。
【０００８】
【課題を解決するための手段】
この課題を解決するために講じた本発明にいう野菜包装用容器の構成を、実施例を示す図面に使用した共通の符号を用いて説明すると、合成樹脂製シート素材を膨出成型させてなり、野菜を収容できる容器本体１と、該容器本体１を覆う蓋体２とからなる平面視方形の野菜包装用容器であって、容器本体１の第１周壁部１ａを側面視において底壁３から容器の内方に向けて倒れ傾斜状に立ち上げ、開口端側において外周面側に向かって突出する周縁フランジ４を備え、該周縁フランジ４の最外端４ａと、前記底壁３と該第１周壁部１ａとの連接部の最外端３ａとの位置を上下方向において略一致する構造としてなる野菜包装用容器である。
【０００９】
【発明の実施の形態】
本発明にかかる野菜包装用容器を実施するに当たっては、容器本体１の第１周壁部１ａに対向する第２周壁部１ｂの高さを第１周壁部１ａの高さに比して低く設定し、該第１周壁部１ａに相対する蓋体２の第１周壁部２ａの高さを低く設定し、容器本体１における前記第２周壁部１ｂに相対する蓋体２の第２周壁部２ｂを第１周壁部２ａの高さに比して高く設定し、蓋体２の天板５が閉蓋姿勢において容器本体１における底壁３と略平行になるように形成することができる。
【００１０】
このような構造とすることにより、蓋体２の第２周壁部２ｂは高く設定されているので、容器を立てて載置したときに蓋体２の天板、第２周壁部２ｂ及びこれらの連接部から内容野菜を視認することが容易となる。また、容器本体１の第１周壁部１ａ側の周縁フランジ４は斜め上方に突出することにより、容器を立てて載置したときに、該周縁フランジ４が載置面に対して外向きに傾斜した状態となるので、載置状態の安定性が増すという効果がある。さらに、蓋体２の天板５が閉蓋姿勢において容器本体１における底壁３と略平行になるように形成されているので、容器を横に載置したときに、安定して容器を積載していくことができる。
【００１１】
該容器本体１の第１周壁部１ａ、第２周壁部１ｂ、蓋体２の第１周壁部２ａ、第２周壁部２ｂのそれぞれの高さは任意であるが、容器本体１の底壁３と第１周壁部１ａとの連接部の最外端３ａと、容器本体１の第１周壁部１ａの開口端側において外周面側に向かって突出する周縁フランジ４の最外端４ａとの２点の幅、即ち、容器本体１の第１周壁部１ａの上下方向の高さは、容器を立てて載置したときに、最外端３ａと最外端４ａの２点で容器を立てた状態を保持することができるような高さで決定する。
【００１２】
また、蓋体２の第１周壁部２ａの開口端側に外周面側に向かって突出するように設けられた周縁フランジ９の最外端９ａの突出量は、相対する容器本体１の周縁フランジの最外端４ａよりも小さくてもよいし、あるいは、最外端４ａと同程度突出させて、容器を立てて載置したときに、最外端３ａ，４ａ，９ａの３点で容器を立てた状態を保持するようにしてもよい。
【００１３】
さらに、容器本体１の第１周壁部１ａを側面視において底壁３から容器の内方に向けて倒れ傾斜状に立ち上げるのは、底壁３と該第１周壁部１ａとの連接部に最外端３ａを形成するためであるが、最外端３ａ，４ａの２点、あるいは、最外端３ａ，４ａ，９ａの３点で容器を立てた状態を保持することができさえすれば、容器本体１の第１周壁部１ａの地面に対する傾斜角はいずれであってもよい。
【００１４】
また、本発明にかかる野菜包装用容器を実施するに当たっては、一般に周知であるように、容器本体１と蓋体２とは合成樹脂製シート素材を材料とし、膨出成型手段によって所定の形状を付与して行う。この際、容器本体１と蓋体２は一体成形としてもよいし、分離型にしてもよい。あるいは、容器本体１における第１周壁部１ａの高さと第２周壁部１ｂの高さとを略等しい高さのものとし、蓋体２に代えて、フィルム２Ａで容器本体１の上面を覆うようにシールする野菜包装用容器であって、容器本体１の第１周壁部１ａを側面視において底壁３から容器の内方に向けて倒れ傾斜状に立ち上げ、開口端側において外周面側に向かって突出する周縁フランジ４を備え、該周縁フランジ４の最外端４ａと、前記底壁３と該第１周壁部１ａとの連接部の最外端３ａとの位置を上下方向において略一致する構造としてなる野菜包装用容器としてもよい。
【００１５】
【実施例】
以下本発明の詳細を図に示した実施例に基づき説明する。図１は本発明の第１実施例の閉蓋状態の斜視図、図２は同、開蓋状態の斜視図、図３は同、開蓋状態の右側面図、図４及び図５は同、それぞれ横、縦に載置した閉蓋状態の右側面図、図６は同、底面図である。
【００１６】
該実施例に示したカイワレ大根の新芽の包装用容器は、一般に公知であるように、ポリエチレンテレフタレート製シート素材を膨出成型させ、カイワレ大根の新芽を収容できる容器本体１と、該容器本体１を覆う蓋体２とを分離型として製造した、平面視方形の包装用容器である。
【００１７】
該容器本体１を形成するにあたっては、図３に示すように、容器本体１の一辺の周壁部１ａを側面視において底壁３から容器の内方に向けてやや傾斜するように立ち上げ、該周壁部１ａに対向する周壁部１ｂの高さを略０としている。このため、容器本体１は側面視略三角形の形状となっている。
【００１８】
而して、容器本体１の開口端側には、外周面側に向かって突出する周縁フランジ４が形成され、該周縁フランジ４から上方に向かって蓋体２の突条受け入れ嵌合部２１に嵌合する突条１１を、容器本体１の内周面側から直に、全周にわたって立ち上げている。該突条１１の外周側の周壁には、蓋体２の突条受け入れ嵌合部２１の内周面側の周壁に、蓋体２の内方に向かって、形成された凸部２２を、閉蓋時に受け入れることができる嵌合凹部１２が、４角に１箇所ずつと正面、背面の中央部にそれぞれ１箇所、左右側面にそれぞれ２箇所ずつ形成されており、両者を嵌合させることにより、閉蓋状態において容器本体１と蓋体２の分離を防止することができる。
【００１９】
蓋体２を形成するにあたっては、同じく図３に示したように、前記容器本体１の周壁部１ａに相対する蓋体２の周壁部２ａの高さを略０とし、天板５を容器本体１の底壁３と略平行になるように形成し、これに合わせて、前記容器本体１の周壁部１ｂに相対する蓋体２の周壁部２ｂを形成する。このため、蓋体２は側面視略三角形の形状（容器本体１との関係では略逆三角形状）、閉蓋状態において容器全体では、図４に示したように、側面視おおよそ長方形状となっている。
【００２０】
而して、蓋体２の開口部には、閉蓋時に、容器本体１の周縁フランジ４と相対接面する周縁フランジ４と、容器本体１の突条１１を受け入れる突条受け入れ嵌合部２１と、容器本体１の突条１１の外周側の周壁に形成された嵌合凹部１２に嵌合する凸部２２とを備えている。蓋体２の天板５、第２周壁部２ｂ、及び左右両周壁部はそれぞれ、滑らかな曲面状に連接されており、かつ、該蓋体２の第２周壁部２ｂは高く設定されているので、これらの各面から及びこれらの連接部から容器の内部が視認しやすくなっている。
【００２１】
容器本体１の底壁には、カイワレ大根の新芽の根の部分を収容することができる、背面側から長手方向に幅約３センチメートル、底壁３に対して約５ミリメートルの窪み６が入れられている。容器本体１の底壁のその他の部分には、図６に示すように、容器の強度を増すためのリブ７が容器の長手方向に７本、略等間隔に入れられている。
【００２２】
次いで、該実施例の容器の使用方法について説明する。図４は、容器を横に載置した状態、即ち、通常の載置状態を示している。底壁３のうち窪み６を形成している部分と、正面側の周縁フランジ４の最外端とで地面に接して載置している。この載置方法は、面積の広い面を底壁として載置し、かつ重心が低いので、載置状態の安定性という点において優れている。また、底壁３は地面と略平行に保たれるように、底壁３のうち窪み６を形成している部分と、正面側の周縁フランジ４の最外端を形成しているので、内容物の安定性もある。さらに、前述したように天板５は底壁３と略平行に形成されているので、即ち、天板５は地面と略平行に形成されているので、安定して容器を積載することもできる。
【００２３】
図５は、容器を立てて載置した状態を示している。底壁３と該周壁部１ａとの連接部の最外端３ａと、背面側の周縁フランジ４の最外端４ａとで地面に接して載置している。最外端３ａと最外端４ａの位置は、側面視で上下方向において略一致する構造としているので、容器を立てて載置したときに、容器が傾斜状になることなく、最外端３ａと最外端４ａの２点で容器が略直に立った状態を保持できる。また、最外端３ａと最外端４ａの２点で容器を立てた状態を保持することができるように、最外端３ａと最外端４ａの２点の幅、即ち、容器本体１の周壁部１ａの上下方向の高さを決定している。この載置方法は、面積の狭い背面を地面に接面させて載置することになるので、省スペース化が実現でき、容器数に比して載置スペースが限られていても、立てて載置することによって、積載することなく、全ての容器が視認できるような載置が可能となりうる。
【００２４】
図７は本発明の第２実施例の閉蓋状態の斜視図である。該実施例に示したカイワレ大根の新芽の包装用容器は、ポリエチレンテレフタレート製シート素材を膨出成型させた、カイワレ大根の新芽を収容できる容器本体１と、該容器本体１を覆う蓋体２とを連結部８を介して一体成型した平面視方形の包装用容器である。容器を立てて載置するときは、最外端３ａと連結部８の２点で、容器が略直に立った状態を保持する。その他の容器の構造及び使用方法は第１実施例と同様である。
【００２５】
図８は本発明の第３実施例の斜視図である。該実施例に示したカイワレ大根の新芽の包装用容器は、ポリエチレンテレフタレート製シート素材を膨出成型させた、カイワレ大根の新芽を収容できる容器本体１と、容器本体１の上面を覆うフィルム２Ａから構成された平面視方形の包装用容器である。容器本体１の構造は、カイワレ大根の新芽の収容を可能にするため、周壁部１ａに対向する周壁部１ｂの高さもある程度は必要であるので、該周壁部１ｂの高さを周壁部１ａの高さと略等しい高さのものとし、容器本体１の開口部上面をフィルム２Ａで覆っている。容器を横に載置するときは、底壁３のうち窪み６を形成している部分と、底壁３と容器本体１の第２周壁部１ｂとの連接部の最外端３ｂとで地面に接して載置させる。その他容器の構造及び使用方法は第１実施例と同様である。
【００２６】
図９は第１乃至第３実施例の変形例であって、容器本体１の底面図を示している。底壁に形成された７本のリブの一部が切り取られている構造とされている。容器を立てて載置したときに、リブが切り取られた部分から、容器の内部のカイワレ大根の新芽の状態が視認できるようになっている。
【００２７】
以上本発明の代表的と思われる実施例について説明したが、本発明は必ずしもこれらの実施例構造のもののみに限定されるものではなく、本発明にいう前記の構成要件を備え、かつ、本発明にいう目的を達し、以下にいう効果を有する範囲内において適宜改変して実施することができるものである。
【００２８】
【発明の効果】
以上の説明から既に明らかなように本発明は、容器本体の一辺の周壁部を側面視において底壁から容器の内方に向けて倒れ傾斜状に立ち上げ、開口端側において外周面側に向かって突出する周縁フランジを備え、周縁フランジの最外端と、底壁と周壁部との連接部の最外端との位置を上下方向において略一致する構造としたものであるから、底壁を地面に接面させて容器を横に載置することはもちろんのこと、前記２箇所の最外端を利用して容器を立てて載置することができるようになった。この結果、載置状態の安定性を重視する場合には、より広い面を地面と接面させて容器を横に載置すればよく、内容野菜の鮮度保持、内容野菜の視認の容易化、省スペース化を図りたい場合にはより狭い面を地面と接面させて容器を立てて載置すればよく、必要性に応じて、容器を立てたり、横にしたりして、容器の載置状態を決定することができるという効果を有するに至った。
【００２９】
また、容器を立てて載置する方法をとった場合には、ある程度の数量の容器であれば、積載することなく並べて載置ができ、殊に、販売時において、消費者は、容器を動かすことなく容器内部の野菜の状態を視認して購入でき、そして、購入後もさらに容器を立てて載置し続けて保存すれば、調理する直前まで野菜を生育状態に置いて鮮度を保持し、食卓に新鮮野菜を提供することができるという効果も有するに至った。
【図面の簡単な説明】
【図１】第１実施例の閉蓋状態の斜視図
【図２】同、開蓋状態の斜視図
【図３】同、開蓋状態の右側面図
【図４】同、横に載置した閉蓋状態の右側面図
【図５】同、縦に載置した閉蓋状態の右側面図
【図６】同、底面図
【図７】第２実施例の閉蓋状態の斜視図
【図８】第３実施例の閉蓋状態の斜視図
【図９】第１乃至第３実施例の変形例の底面図
【図１０】従来例の斜視図
【図１１】別の従来例の斜視図
【符号の説明】
１  容器本体
１ａ  第１周壁部
１ｂ  第２周壁部
２  蓋体
２ａ  第１周壁部
２ｂ  第２周壁部
２Ａ  フィルム
３  底壁
３ａ  底壁３と第１周壁部１ａとの連接部の最外端
４  容器本体１の周縁フランジ
４ａ  周縁フランジ４の最外端
５  天板
【図１】
2005008172.tif 000003
【図２】
2005008172.tif 000004
【図３】
2005008172.tif 000005
【図４】
2005008172.tif 000006
【図５】
2005008172.tif 000007
【図６】
2005008172.tif 000008
【図７】
2005008172.tif 000009
【図８】
2005008172.tif 000010
【図９】
2005008172.tif 000011
【図１０】
2005008172.tif 000012
【図１１】
2005008172.tif 000013
【手続補正書】
【提出日】平成15年6月20日(2003.6.20)
【手続補正１】
【補正対象書類名】図面
【補正対象項目名】全図
【補正方法】変更
【補正の内容】
【図１】
2005008172.tif 000014
【図２】
2005008172.tif 000015
【図３】
2005008172.tif 000016
【図４】
2005008172.tif 000017
【図５】
2005008172.tif 000018
【図６】
2005008172.tif 000019
【図７】
2005008172.tif 000020
【図８】
2005008172.tif 000021
【図９】
2005008172.tif 000022
【図１０】
2005008172.tif 000023
【図１１】
2005008172.tif 000024